(57)【要約】【課題】表示画面上に光透過性部材の操作部を配した場合でも、画像の視認性を低下させることがない画像表示装置を提供する。【解決手段】光透過性部材からなる複数の透明キートップ２ａ、２ｂ、２ｃの間にシール部材を配し当該透明キートップ２ａ、２ｂ、２ｃの操作を検出するスイッチ機構１のうち、透明キートップ２ａ、２ｂ、２ｃ及びシール部材が表示画面上に配設されるディスプレイ３に画像を表示させるときに、画像発生装置１３が、ディスプレイ３に表示させる画像を、シール部材により透過される画像と透明キートップ２ａ、２ｂ、２ｃにより透過される画像とが連続性を有するように補正する。【選択図】図１
2011002678.tif 000002
【特許請求の範囲】
【請求項１】
光透過性部材からなる複数の操作部の間にシール部材を配し当該操作部の操作を検出するスイッチ機構のうち、前記操作部及びシール部材が表示画面上に配設される表示手段と、
前記表示手段に画像を表示させる表示制御手段と、
前記表示制御手段により前記表示手段に表示させる画像を、前記シール部材により透過される画像と前記操作部により透過される画像とが連続性を有するように補正する画像補正手段と
を有することを特徴とする画像表示装置。
【請求項２】
請求項１に記載の画像表示装置であって、
前記画像補正手段は、前記シール部材により透過される画像範囲を特定するマスクデータを有し、前記スイッチ機構に対する操作を検出したことに応じ、前記マスクデータに基づいて当該操作された操作部とシール部材との間の画像とが連続性を有するように前記画像を再補正することを特徴とする画像表示装置。
【請求項３】
請求項２に記載の画像表示装置であって、
前記画像補正手段は、複数のマスクデータを有し、前記スイッチ機構に対する操作を検出したことに応じ、当該操作位置又は操作量に基づいてマスクデータを切り替えることにより前記画像を再補正することを特徴とする画像表示装置。
【請求項４】
請求項１乃至請求項３の何れか一項に記載の画像表示装置であって、
前記画像補正手段は、前記操作部と前記シール部材との間の画像の色コントラストが連続性を有するように補正することを特徴とする画像表示装置。
【発明の詳細な説明】
【技術分野】
【０００１】
本発明は、画像の視認性を向上させるように画像を表示する画像表示装置に関する。
【背景技術】
【０００２】
従来より、スイッチ部材を光透過性のある材料で構成して、当該スイッチ部材を表示画面上に配したものが、下記の特許文献１などにて知られている。この特許文献１に記載された技術によれば、当該スイッチ部材の背景に配した部分まで画像を拡大させて表示させ、スイッチ部材を介して画像を視認させている。
【先行技術文献】
【特許文献】
【０００３】
【特許文献１】特開平９−２５８８９５号公報
【発明の概要】
【発明が解決しようとする課題】
【０００４】
しかしながら、スイッチ部材を複数に亘り隣接して設ける場合には、当該スイッチ部材間から見える画像とスイッチ部材から見える画像との間に、歪みが生じているように見えてしまう。すると、表示画像全体の視認性を低下させてしまうという問題がある。
【０００５】
そこで、本発明は、上述した実情に鑑みて提案されたものであり、表示画面上に光透過性部材の操作部を配した場合でも、画像の視認性を低下させることがない画像表示装置を提供することを目的とする。
【課題を解決するための手段】
【０００６】
本発明は、光透過性部材からなる複数の操作部の間にシール部材を配し当該操作部の操作を検出するスイッチ機構のうち、操作部及びシール部材が表示画面上に配設される表示手段に画像を表示させるときに、表示手段に表示させる画像を、シール部材により透過される画像と操作部により透過される画像とが連続性を有するように補正する。
【発明の効果】
【０００７】
本発明によれば、シール部材により透過される画像と操作部により透過される画像とが連続性を有するように補正するので、表示画面上に光透過性部材の操作部を配した場合でも、画像の視認性を低下させることがない。
【図面の簡単な説明】
【０００８】
【図１】本発明の実施形態として示す画像表示システムの全体構成を示すブロック図である。
【図２】本発明の実施形態として示す画像表示システムにおけるスイッチ機構を示す斜視図である。
【図３】本発明の実施形態として示す画像表示システムにおけるスイッチ機構の断面図である。（図２のＡ−Ａ断面図）
【図４】本発明の実施形態として示す画像表示システムにおけるスイッチ機構の断面図である。（図２のＢ−Ｂ断面図）
【図５】本発明の実施形態として示す画像表示システムにおいて、透明キートップを操作した時のスイッチ機構の変化を示す断面図である。
【図６】本発明の実施形態として示す画像表示システムにおいて、画像発生装置の構成を示すブロック図である。
【図７】本発明の実施形態として示す画像表示システムにおける画像発生装置の処理を説明する図である。
【図８】ガウシアン特性を示す図である。
【図９】本発明の実施形態として示す画像表示システムにおける画像表示例を示す図である。
【図１０】本発明の実施形態として示す画像表示システムにおける画像表示例を示す図である。
【発明を実施するための形態】
【０００９】
以下、本発明の実施の形態について図面を参照して説明する。
【００１０】
本発明の実施形態として示す画像表示システムは、例えば図１に示すように構成される。この画像表示システムは、例えば自動車に搭載され、画像を表示することにより、各種の情報を自動車の運転者等に提示するものである。また、この画像表示システムは、画像を表示すると共に、運転者等の操作を入力して、各種の処理を行う。
【００１１】
画像表示システムは、スイッチ機構１、ディスプレイ（表示手段）３、中央処理装置（表示制御手段）１１、入力装置１２、画像発生装置１３、制御装置１４、エアコンシステム１５、オーディオシステム１６、ナビゲーションシステム１７、パワートレイン装置１８を含む。
【００１２】
スイッチ機構１は、後述する図２乃至図５のような構成を有している。このスイッチ機構１は、透明キートップ２ａ、２ｂ、２ｃが操作されたことを示す操作入力信号を、入力装置１２に供給する。なお、スイッチ機構１は、３個の透明キートップ２ａ、２ｂ、２ｃが設けられているが、操作入力信号は、どの透明キートップ２ａ、２ｂ、２ｃが操作されたかを示す信号である。
【００１３】
この画像表示システムにおいて、透明キートップ２ａ、２ｂ、２ｃは入力装置１２と一体に構成される。画像表示システムは、透明キートップ２ａ、２ｂ、２ｃに対して押下操作が行われた時に、半ストローク時及び全ストローク時に応じて、それぞれの場合に電気信号を入力装置１２に送出する。
【００１４】
入力装置１２は、スイッチ機構１から供給された操作入力信号を入力して、中央処理装置１１に供給する。
【００１５】
中央処理装置１１は、入力装置１２から供給された操作入力信号に基づいて、制御装置１４を介してエアコンシステム１５、オーディオシステム１６、ナビゲーションシステム１７、パワートレイン装置１８に制御信号を出力させる。このとき、中央処理装置１１は、操作入力信号に基づいて、どのような動作をさせるかを認識する。これにより、中央処理装置１１は、透明キートップ２ａ、２ｂ、２ｃに対する操作に基づいて、各種の動作を制御できる。
【００１６】
また、中央処理装置１１は、入力装置１２からの操作入力信号に従って、ディスプレイ３に表示させる内容を遷移させる。例えば、中央処理装置１１は、メニュー画面を下位に遷移させる操作を検出した場合には、画像発生装置１３を制御して当該メニュー画面を表示させる。また、中央処理装置１１は、メニュー画面のうち各種の動作を命令することが選択された場合には、制御装置１４から制御信号を発生させる。
【００１７】
画像発生装置１３は、ディスプレイ３に表示させる画像を、後述の半透明シール部材５により透過される画像と透明キートップ２ａ、２ｂ、２ｃにより透過される画像とが連続性を有するように補正する（画像補正手段）。この場合、画像発生装置１３は、色コントラストが連続になるように補正することが望ましい。
【００１８】
画像発生装置１３は、中央処理装置１１の制御に従って、ディスプレイ３に表示させる画像を発生させる。画像発生装置１３は、発生した画像をディスプレイ３に供給して、各種の情報を表示させる。
【００１９】
具体的には、中央処理装置１１では予め設定された内容に従って、各透明キートップ２ａ、２ｂ、２ｃに割り当てるべき機能を設定し、各機能に対応する表記（マーク、文字列）を用意する。当該各機能に対応する表記は、各透明キートップ２ａ、２ｂ、２ｃの位置に対応する場所に画像発生装置１３及びディスプレイ３を介して表示される。
【００２０】
操作者は、透明キートップ２ａ、２ｂ、２ｃを透かしてディスプレイ３に表示された表記を視認して、操作を所望する機能に対応する位置にある透明キートップ２ａ、２ｂ、２ｃを押し込み操作できる。中央処理装置１１は、入力装置１２から得られた各透明キートップ２ａ、２ｂ、２ｃの操作結果と、画像発生装置１３により表示させている表記画像との対応付けを行う。そして、中央処理装置１１は、操作者が所望している操作内容を、制御装置１４を介して、エアコンシステム１５、オーディオシステム１６、ナビゲーションシステム１７、パワートレイン装置１８といった、自動車の補記類等の制御を行う。このようにして、画像表示システムは、操作者から見ると透明キートップ２ａ、２ｂ、２ｃの表記を自在に変化することにより、各種の動作に対応したスイッチシステムを構成できる。
【００２１】
スイッチ機構１は、光透過性部材からなる複数の操作部である透明キートップ２ａ、２ｂ、２ｃ（以下、総称する場合には「透明キートップ２」とも呼ぶ。）を有する。透明キートップ２ａ、２ｂ、２ｃは、例えばポリカーボネートが用いられる。透明キートップ２ａ、２ｂ、２ｃは、ディスプレイ３の表示画面３ａ上に配される。したがって、操作者は、表示画面３ａに表示された画像を見ながら、透明キートップ２ａ、２ｂ、２ｃに対して押下操作を行うことができる。
【００２２】
このスイッチ機構１は、ディスプレイ３の表示画面３ａ上に透明キートップ２ａ、２ｂ、２ｃに割り当てる機能が表示された時に、操作者から操作される。例えば「エアコンＯＦＦ機能」を示す画像を表示画面３ａに表示すると、操作者に対して、恰も透明キートップ２ａ、２ｂ、２ｃの表面に「エアコンＯＦＦ機能」を表す表記が表示されているように認識させることができる。よって、「表示された機能の箇所をそのまま押す」という、分かり易い方法で、エアコンシステム１５、オーディオシステム１６，ナビゲーションシステム１７等の操作を行うことができる。
【００２３】
このような表示画面３ａに対する表記は、ディスプレイ３の表示画面３ａ上に表示されたものであるので、任意の表示に随時変更することが可能である。したがって、スイッチの設置面積が限られていることから少ないスイッチ数で多くの機能を操作しなければいけない自動車の車室内において多機能スイッチを提供する有効な手段である。このような透明キートップ２ａ、２ｂ、２ｃを有するスイッチ機構１は、透明キートップ２ａ、２ｂ、２ｃの隙間からゴミが入り込むと表示品質に大きな影響を与えてしまう。そこで、画像表示システムは、図２に示すように、透明キートップ２ａ、２ｂ、２ｃとケース４との間に生じる隙間に伸縮自在な半透明シール部材５を設置する。これにより、透明キートップ２ａ、２ｂ、２ｃとケース４との間にゴミ、埃の侵入を防ぐことができる。
【００２４】
透明キートップ２ａ、２ｂ、２ｃが押下操作されると、当該操作に応じてプッシュロッド６がケース４の底面に向けてスライドする。透明キートップ２ａ、２ｂ、２ｃはケース４の中で、ディスプレイ３の表示画面３ａに垂直に所定距離だけ移動可能に構成されている。図３に示すように、プッシュロッド６は、所定のスライド方向にスライドするガイド６ａによって動作が規制される。
【００２５】
プッシュロッド６のスライド方向には、スイッチユニット７が設けられている。プッシュロッド６の底部は、スイッチユニット７に接触して設置されており、スイッチユニット７の付勢バネによって上方に押し上げられて状態に設定されている。よって、プッシュロッド６が押下力によりスライドすると、当該プッシュロッド６が、スイッチユニット７をオンにする。このスイッチユニット７のオン動作は、電気接点信号として、スイッチユニット７と電気的に接続された基板８を介して検出される。なお、スイッチユニット７として、半押し検出機構を有するスイッチユニットを選択している。これによって、透明キートップ２ａ、２ｂ、２ｃがストロークの中間に達した時点で、操作された透明キートップ２ａ、２ｂ、２ｃを特定する信号を送出することが可能となる。また、基板８には、ディスプレイ３が接続されている。よって、画像表示システムは、基板８を介して、ディスプレイ３に対して駆動信号を供給できる。
【００２６】
半透明シール部材５は、図２，図３及び図４に示すように、ケース４の開口部に対して設けられており、透明キートップ２ａ、２ｂ、２ｃの間を封止している。半透明シール部材５は、半透明であり、且つ伸縮ができる材料で構成されている。透明キートップ２ａ、２ｂ、２ｃを介してディスプレイ３の表示画面３ａ上に表示された画像を視認して、操作したい透明キートップ２ａ、２ｂ、２ｃを押下操作をすると、透明キートップ２ａ、２ｂ、２ｃは、ケース４と透明キートップ２ａ、２ｂ、２ｃとの間に設置された半透明シール部材５を引き伸ばしながら垂直方向に移動する。
【００２７】
図５は、透明キートップ２に対する操作者の押下操作に伴って、半透明シール部材５によってディスプレイ３上の画像の視認性がどのような範囲で影響を受けるかを示す図である。表示画面３ａに表示された画像は、透明キートップ２の操作者である運転者の視点ＥＰから視認される。視点ＥＰから透明キートップ２の配置部分を見下ろすと、透明キートップ２を押下していない時には、半透明シール部材５によって視認性に影響を受ける範囲が幅ａとなる。すなわち、視点ＥＰから半透明シール部材５の下端を見る視線がＬ２となり、透明キートップ２が押下されていない時に半透明シール部材５の上端を見る視線がＬ３である。したがって、視線Ｌ２〜Ｌ３によって視認される画像部分は、半透明シール部材５を介して視認される範囲ａとなる。
【００２８】
透明キートップ２が押下操作されると、図５のように半透明シール部材５が引き延ばされ、半透明シール部材５の上端を見る視線がＬ２からＬ１に変化し、視認される範囲がｂとなる。これにより、半透明シール部材５を介して見える画像が広がることとなる。したがって、この画像表示システムは、透明キートップ２の操作状態に応じて画像処理を行う必要がある。
【００２９】
上述した画像表示システムにおいて、画像発生装置１３は、図６に示すような各部１３ａ〜１３ｆを含む。
【００３０】
画像発生装置１３は、コンテンツ画像発生部１３ａ、畳み込み積分演算部１３ｂ、マスク画像データ（マスクデータ）記憶部１３ｃ、低域通過フィルター係数算出部１３ｄを含む。また、画像発生装置１３は、画像処理後の画像データをディスプレイ３に供給する表示ドライバー１３ｅを含む。
【００３１】
コンテンツ画像発生部１３ａは、ディスプレイ３上に表示されるコンテンツを発生させる。コンテンツ画像発生部１３ａが発生させるコンテンツとしては、地図画像、メニュー画面などが含まれる。メニュー画面を表示する場合、当該メニュー画面に含まれるメニューボタン画像は、透明キートップ２ａ、２ｂ、２ｃに対応した数となる。
【００３２】
マスク画像データ記憶部１３ｃは、図５で示した半透明シール部材５によって視認性に影響が生じる画像の範囲を設定する。例えば透明キートップ２ａ、２ｂ、２ｃといったように、スイッチ機構１が３つの透明キートップ２を含む場合、２ａと２ｂとの間、２ｂと２ｃとの間に、半透明シール部材５が存在する。この半透明シール部材５に相当する画像部分は、視認性に影響を与える部分となる。このマスク画像データは、予め透明キートップ２の形状と半透明シール部材５の形状と、乗員の想定される視点ＥＰとから、半透明シール部材５によって歪が生じる画像の位置を想定した画像データである。なお、画像データに限らず、表示画面３ａ上の座標データであっても良いことは勿論である。マスク画像データ記憶部１３ｃは、このような視認性に影響を与えるマスク画像データを記憶している。
【００３３】
なお、マスク画像データ記憶部１３ｃは、単一のマスク画像データに限らず、複数のマスク画像データを記憶していることが望ましい。この場合、マスク画像データ記憶部１３ｃは、スイッチユニット７に含まれるスイッチ位置検出機構７ａにより検出した操作者の操作を、入力装置１２を介して入力する。透明キートップ２ａ、２ｂ、２ｃが全ストロークの中間地点まで操作された場合に、スイッチ位置検出機構７ａから入力装置１２を介して、マスク画像データ記憶部１３ｃに対して、その旨の操作入力信号が供給される。すると、マスク画像データ記憶部１３ｃは、記憶しているマスク画像データを畳み込み積分演算部１３ｂに供給する。
【００３４】
ここで、マスク画像データ記憶部１３ｃは、透明キートップ２ａ、２ｂ、２ｃのうちで押下された透明キートップ２の位置に応じて、図５に示したように、半透明シール部材５が伸びる箇所が認識できる。よって、マスク画像データ記憶部１３ｃは、半透明シール部材５が伸びた部分を表すマスク画像データを選択して、畳み込み積分演算部１３ｂに供給できる。これにより、マスク画像データ記憶部１３ｃは、図５における幅ｂの視認性影響範囲をカバーするようなマスク画像データを送出できる。また、入力装置１２が透明キートップ２の押し込み量を検出することによって、マスク画像データ記憶部１３ｃが異なるマスク画像データを選択しても良い。これにより、透明キートップ２の移動による視野の変動にも対応することができ、透明キートップ２を押したときに生じる、さらなる不連続性の発生を防ぐことができる。
【００３５】
低域通過フィルター係数算出部１３ｄは、マスク画像データで処理対象となった画像データ部分にどのような空間周波数処理を行うかを決定する。低域通過フィルター係数算出部１３ｄにより決定される低域通過フィルター係数は、透明キートップ２を介して見る画像と半透明シール部材５を介して見る画像とが連続性を有するように、半透明シール部材５を介して見る画像を低域成分のみを含む画像に変換するための係数である。
【００３６】
畳み込み積分演算部１３ｂは、コンテンツ画像発生部１３ａから供給されたコンテンツの画像データのうち、マスク画像データで指定した画像データに対して、低域通過フィルター係数算出部１３ｄの空間周波数特性処理を加えるためものである。これにより、畳み込み積分演算部１３ｂは、透明キートップ２を介して見る画像と半透明シール部材５を介して見る画像とが連続性を有するように補正する。特に、畳み込み積分演算部１３ｂは、色コントラストが連続になるように補正する。この畳み込み積分演算部１３ｂで処理された画像データは、表示ドライバー１３ｅを介してディスプレイ３に供給される。
【００３７】
この画像発生装置１３は、図７に示すようなフィルター処理の原理に従った処理を行う。このフィルター処理は、畳み込み積分演算部１３ｂにより、画像データ３０のうちの半透明シール部材５により視認性に与える画像部分を、処理対象ピクセル３１とする。この処理対象ピクセル３１は、コンテンツ画像発生部１３ａにより発生したコンテンツを表す画像データのうち、マスク画像データ記憶部１３ｃに記憶されたマスク画像データによって特定された画像部分（Ａ〜Ｉ）である。また、このマスク画像データは、透明キートップ２の操作位置に応じて異なるものを選択しても良い。
【００３８】
畳み込み積分演算部１３ｂは、処理対象ピクセル３１に対して、どの範囲までのデータの影響を取り込むかを決めるフィルターマスク３２を設定する。
【００３９】
次に、フィルターマスク３２の範囲内のデータに対してどのような重みをつけて、処理対象ピクセル３１のデータを変化させるかを重み係数３３（ａ〜ｉ）により設定する。このフィルターマスク３２は、図８に示すようなガウシアン特性４０を有する重み係数３３を含む。この重み係数３３によって低域通過フィルターの空間周波数特性が決められる。
【００４０】
この重み係数３３に沿って、フィルターマスク３２のデータを演算処理するために、畳み込み成分の処理式３４に示された数式に従った演算処理を行う。この結果、畳み込み積分演算部１３ｂは、変換後のピクセルデータを算出し、処理結果３５としての画像データ３０’を置き換えることができる。
【００４１】
このように、画像発生装置１３は、コンテンツの画像データに対して補正を行う。例えば、図９（ａ）に示すように表示画面３ａ上に表示した画像５０のうち、透明キートップ２を介して視認される画像部分５０ａと、半透明シール部材５を介して視認される画像部分５０ｂとが存在するとする。この場合、画像部分５０ａと画像部分５０ｂとの間に、歪み部分５１が発生してしまう。
【００４２】
表示画面３ａに表示する画像としては、特定の透明キートップ２ごとの機能を表す表記画像だけでなく、簡易地図やインジケータなどの画像を表示することができる。この例では、画像５０として地図画像を表示した場合の例を示している。しかし、図９（ａ）のように、透明キートップ２ａ、２ｂ、２ｃ間の半透明シール部材５に地図表示の中の地名文字など高空間周波数成分を持つ画像データが位置すると、操作者からは半透明シール部材５の境界部分で文字の歪みやボケが集中して生じることによって視認性が低下した画像部分５１となってしまう。
【００４３】
これに対し、上述した画像表示システムによれば、画像部分５０ａと画像部分５０ｂとの間を連続性を有するようにした補正後画像部分５２を形成できる。したがって、歪やボケが生じる部位の画像を中心とした所定の範囲の画像データに予め低域通過フィルター処理を施すことによって、透明キートップ２と半透明シール部材５との境界部分での極端な画像変化の印象を緩和することができ、視認性の印象が低下することを防ぐことができる。
【００４４】
また、図１０に示すように、操作機能と同一画面上に操作のインジケータ表示を行っている。例えば温度操作を上三角が表示された透明キートップ２に温度上昇操作を、下三角が表示された透明キートップ２に温度の下降操作を割り当てた場合に、温度状態のデータを透明キートップ越しに表示することができる。このように温度の状態表示をバーグラフで表示する場合に、図１０（ａ）のように半透明シールと透明キートップの境界部分で画像の歪み部分５１が発生すると視認性の印象が低下する。このような場合にも、図１０（ｂ）に示すように、予め画像の歪が発生することが予想される画像部分５０ｃの周囲に渡って低域通過フィルター処理を施しておくことによって、視認性が低下する印象を減ずることができる。
【００４５】
以上説明したように、本発明の実施形態として示した画像表示システムによれば、ディスプレイ３に表示させる画像を、半透明シール部材５により透過される画像と透明キートップ２により透過される画像とが連続性を有するように補正するので、表示画面３ａ上に光透過性部材の透明キートップ２を配した場合でも、画像の視認性を低下させることがない。すなわち、画像表示システムによれば、透明キートップ２と半透明シール部材５との間が区切られることがない連続的な画像を視認することができる。また、この画像表示システムによれば、透明キートップ２間の半透明シール部材５による境界において光学的に歪が発生する範囲より、広い範囲において補正をすることにより、極端な画像の乱れが生じることが無く、画像の連続性を保つことができる。
【００４６】
また、この画像表示システムによれば、半透明シール部材５により透過される画像範囲を特定するマスクデータ（マスク画像データ）を有し、スイッチ機構１に対する操作を検出したことに応じ、マスクデータに基づいて当該操作された透明キートップ２と半透明シール部材５との間の画像とが連続性を有するように再補正するので、操作によって、半透明シール部材５が変形しても、画像の連続性を保つことができる。すなわち、透明キートップ２の押し込み操作時に操作者からの視角が変化しても適切な補正を行うことで、押し込み時に生じる画像の非連続性を補正することができる。
【００４７】
更に、この画像表示システムによれば、複数のマスクデータを有し、スイッチ機構１に対する操作を検出したことに応じ、当該操作位置又は操作量に基づいてマスクデータを切り替えることにより再補正するので、透明キートップ２の操作位置によって歪みが生ずる箇所が変化しても、確実に画像を補正して連続性がある画像を提示できる。また、透明キートップ２の操作量によって画像の歪み量が変わるので、これに応じて確実に画像を補正して連続性がある画像を提示できる。すなわち、透明キートップ２の操作時には、マスクデータを差し替えるだけで比較的簡単に補正を行うことができる。
【００４８】
更にまた、この画像表示システムによれば、透明キートップ２と半透明シール部材５との間の画像の色コントラストが連続性を有するように補正するので、カラー画像に発生する色の歪みを補正できる。
【００４９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００５０】
１  スイッチ機構
２  透明キートップ
３  ディスプレイ
３ａ  表示画面
４  ケース
５  半透明シール部材
６  プッシュロッド
６ａ  ガイド
７  スイッチユニット
７ａ  スイッチ位置検出機構
８  基板
１１  中央処理装置
１２  入力装置
１３  画像発生装置
１３ａ  コンテンツ画像発生部
１３ｂ  畳み込み積分演算部
１３ｃ  マスク画像データ記憶部
１３ｄ  低域通過フィルター係数算出部
１３ｅ  表示ドライバー
１４  制御装置
１５  エアコンシステム
１６  オーディオシステム
１７  ナビゲーションシステム
１８  パワートレイン装置
【図１】
2011002678.tif 000003
【図２】
2011002678.tif 000004
【図３】
2011002678.tif 000005
【図４】
2011002678.tif 000006
【図５】
2011002678.tif 000007
【図６】
2011002678.tif 000008
【図７】
2011002678.tif 000009
【図８】
2011002678.tif 000010
【図９】
2011002678.tif 000011
【図１０】
2011002678.tif 000012